(57)【要約】    【課題】集合住宅の居室にて発生した防犯異常を居室扉の電気錠を利用して検出することにより、施工費の削減を図るとともに、泥棒等の不審者による玄関から居室内への侵入を容易に検知可能として防犯性を高める。    【解決手段】外泊、不在、在室の表示となっている居室の居室扉の電気錠２ａ、２ｂ、・・・が解錠および／または居室扉が開かれると、居室制御装置４ａ、４ｂ、・・・からの解錠信号および／または扉開信号が受信された管理室親機５では、防犯異常が発生したと判断してスピーカ５０１から警報音を鳴動するとともに、防犯異常が発生したことを表示部５０４に表示する。また、外泊、不在、在室の表示となっている居室の居室制御装置からの解錠信号および／または扉開信号が管理室親機にて受信されたとき、電気錠の解錠および／または扉開しようとする人物が無線タグ等の本人認証装置３ａ、３ｂ、・・・にて居室の入居者であると認証された場合には、管理室親機のスピーカおよび表示部を使用した警報の発報を抑止する。  【選択図】図１
2007150885.tif 000002
【特許請求の範囲】
【請求項１】
集合住宅の入居者が管理人を呼び出して通話を成立させるための居室インターホン（１ａ、１ｂ、・・・）と、居室扉の施錠・解錠状態および／または前記居室扉の開・閉状態を検出するための電気錠（２ａ、２ｂ、・・・）と、前記居室インターホンの制御を行うとともに前記入居者の在室・不在状態を表す入居者在室・不在信号、前記電気錠の施錠・解錠状態を表す施錠・解錠信号および／または前記居室扉の開・閉状態を表す開・閉扉信号を出力するための居室制御装置（４ａ、４ｂ、・・・）と、前記管理人が前記入居者からの呼び出しに応答して通話を成立させるとともに前記居室制御装置からの前記入居者在室・不在信号で前記入居者の在室・不在および前記入居者からの指示によって操作部（５００）で外泊を設定するための管理室親機（５）とを備え、
前記管理室親機は、前記外泊の表示となっている居室の前記居室制御装置から前記解錠信号および／または前記開扉信号を受信した場合に、防犯異常が発生したと判断して警報音を鳴動するためのスピーカ（５０１）と、前記防犯異常が発生したことを表示するための表示部（５０４）とを有することを特徴とする集合住宅インターホンシステム。
【請求項２】
前記管理室親機は、前記不在の表示となっている居室の前記居室制御装置から前記解錠信号および／または前記開扉信号を受信した場合に、前記防犯異常が発生したと判断して前記スピーカから警報音を鳴動させるとともに前記表示部に前記防犯異常の発生を表示することを特徴とする請求項１記載の集合住宅インターホンシステム。
【請求項３】
前記管理室親機は、前記在室の表示となっている居室の前記居室制御装置から前記解錠信号および／または前記開扉信号を受信した場合に、前記防犯異常が発生したと判断して前記スピーカから警報音を鳴動させるとともに前記表示部に前記防犯異常の発生を表示することを特徴とする請求項１または請求項２記載の集合住宅インターホンシステム。
【請求項４】
前記管理室親機は、前記外泊、前記不在または前記在室の表示となっている居室の前記居室制御装置から前記解錠信号および／または前記開扉信号を受信した場合に、前記解錠および／または前記開扉しようとする人物が前記居室の入居者であることが確認されているとき警報音の鳴動および警報の表示を抑止するための無線タグ等の本人認証装置（３ａ、３ｂ、・・・）を設けることを特徴とする請求項１乃至請求項３のうち何れか１項記載の集合住宅インターホンシステム。
【発明の詳細な説明】
【技術分野】
【０００１】
本発明は、マンション等の集合住宅に設置されるインターホンシステムに係り、特に、防犯異常の発生を検出する機能および検出された防犯異常を発報する機能が備えられた集合住宅インターホンシステムに関する。
【背景技術】
【０００２】
従来から、戸建住宅、集合住宅等の住戸（居室と同意。）内において、非常・緊急時の警報を行うことができる２線式セキュリティシステムが開示されている（例えば、特許文献１を参照。）。
【０００３】
この２線式セキュリティシステムによれば、戸建住宅、集合住宅等の住戸内で使用されるガス漏れ検知器、火災感知器、トイレ・バスコールボタン、防犯警戒用センサ等のセキュリティセンサとターミナルアダプタとの配線の省線化に基づき、当該ターミナルアダプタの端子数が減少し、コストの抑制が図れるとともに施工性が向上する。
【０００４】
【特許文献１】特開２００２−８１６９号公報（段落番号「００１３」乃至「００３０」、第１図、第２図）
【発明の開示】
【発明が解決しようとする課題】
【０００５】
しかしながら、背景技術に記載した特許文献１の２線式セキュリティシステムによれば、戸建住宅、集合住宅等の住戸内にて発生した防犯異常を検出するにあたって、防犯警戒用センサ等のセキュリティセンサが必要であり施工費が増大するとともに、泥棒等の不審者による玄関から住戸内への侵入を検知できない難点があった。
【０００６】
本発明は、この難点を解消するためになれたもので、集合住宅の居室にて発生した防犯異常を居室扉の電気錠を利用して検出することにより、施工費の削減を図るとともに、泥棒等の不審者による玄関から居室内への侵入を容易に検知可能として防犯性を高めた集合住宅インターホンシステムを提供することを目的としている。
【課題を解決するための手段】
【０００７】
前述の目的を達成するため、本発明の第１の態様である集合住宅インターホンシステムは、集合住宅の入居者が管理人を呼び出して通話を成立させるための居室インターホンと、居室扉の施錠・解錠状態および／または居室扉の開・閉状態を検出するための電気錠と、居室インターホンの制御を行うとともに入居者の在室・不在状態を表す入居者在室・不在信号、電気錠の施錠・解錠状態を表す施錠・解錠信号および／または居室扉の開・閉状態を表す開・閉扉信号を出力するための居室制御装置と、管理人が入居者からの呼び出しに応答して通話を成立させるとともに居室制御装置からの入居者在室・不在信号で入居者の在室・不在および入居者からの指示によって操作部で外泊を設定するための管理室親機とを備えたものである。管理室親機は、外泊の表示となっている居室の居室制御装置から解錠信号または開扉信号を受信した場合に、防犯異常が発生したと判断して警報音を鳴動するためのスピーカと、防犯異常が発生したことを表示するための表示部とを有するものである。
【０００８】
また、本発明の第２の態様である集合住宅インターホンシステムは、本発明の第１の態様において、管理室親機は、不在の表示となっている居室の居室制御装置から解錠信号および／または開扉信号を受信した場合に、防犯異常が発生したと判断してスピーカから警報音を鳴動させるとともに表示部に防犯異常の発生を表示するものである。
【０００９】
また、本発明の第３の態様である集合住宅インターホンシステムは、本発明の第１の態様または第２の態様において、管理室親機は、在室の表示となっている居室の居室制御装置から解錠信号および／または開扉信号を受信した場合に、防犯異常が発生したと判断してスピーカから警報音を鳴動させるとともに表示部に防犯異常の発生を表示するものである。
【００１０】
また、本発明の第４の態様である集合住宅インターホンシステムは、本発明の第１の態様乃至第３の態様において、管理室親機は、外泊、不在または在室の表示となっている居室の居室制御装置から解錠信号および／または開扉信号を受信した場合に、解錠および／または開扉しようとする人物が居室の入居者であることが確認されているとき警報音の鳴動および警報表示を抑止するための無線タグ等の本人認証装置を設けたものである。
【発明の効果】
【００１１】
本発明の集合住宅インターホンシステムによれば、集合住宅の入居者が外泊している場合には、この入居者の指示によって管理人が管理室親機の操作部を使用して外泊を表示することができる。また、外泊、不在、在室の表示となっている居室の居室扉の電気錠が解錠および／または居室扉が開かれると、居室制御装置からの解錠信号および／または開扉信号が受信された管理室親機では、防犯異常が発生したと判断してスピーカから警報音を鳴動するとともに、防犯異常が発生したことを表示部に表示することができる。これにより、集合住宅の居室にて発生した防犯異常を居室扉の電気錠を利用して検出することができ、防犯警戒用センサ等のセキュリティセンサが不要であるため、施工費が削減されるとともに、泥棒等の不審者による玄関から居室内への侵入の検知が容易となり防犯性を高めることができる。
【００１２】
また、本発明の集合住宅インターホンシステムによれば、外泊、不在、在室の表示となっている居室の居室制御装置からの解錠信号および／または開扉信号が管理室親機にて受信されたとき、電気錠の解錠および／または開扉しようとする人物が無線タグ等の本人認証装置にて居室の入居者であると認証された場合には、管理室親機のスピーカおよび表示部を使用した警報の発報を抑止することができる。
【発明を実施するための最良の形態】
【００１３】
以下、本発明の集合住宅インターホンシステムを適用した最良の実施の形態例について、図面を参照して説明する。
【００１４】
図１は、本発明の実施例による集合住宅インターホンシステムの具体的な構成を示すシステムブロック図である。
【００１５】
図１に示す集合住宅インターホンシステムは、マンション等の集合住宅において、複数の居室にそれぞれ設置され、入居者が管理室に在室中の管理人を呼び出して通話を成立させるための居室インターホン１ａ、１ｂ、・・・と、複数の居室の玄関扉（以下、居室扉という。）にそれぞれ設置される電気錠２ａ、２ｂ、・・・と、複数の居室の所定の位置、例えば、玄関先や居室内にそれぞれ設置される無線タグ等の本人認証装置３ａ、３ｂ、・・・と、複数の居室にそれぞれ設置され、インターホンラインＬ1a、Ｌ1b、・・・を経由して接続された居室インターホン１ａ、１ｂ、・・・、電気錠ラインＬ2a、Ｌ2b、・・・を経由して接続された電気錠２ａ、２ｂ、・・・および認証装置ラインＬ3a、Ｌ3b、・・・を経由して接続された本人認証装置３ａ、３ｂ、・・・をそれぞれ制御するための居室制御装置４ａ、４ｂ、・・・と、管理室に設置され、管理人が入居者からの呼び出しに応答して通話を成立させるための管理室親機５と、集合玄関（エントランスと同意。）、廊下等の共用部に設置され、居室側ラインＬ4を経由して接続（バス接続）された居室制御装置４ａ、４ｂ、・・・および管理室側ラインＬ5を経由して接続された管理室親機５をそれぞれ制御するための主制御装置６とを備えている。
【００１６】
また、居室インターホン１ａ、１ｂ、・・・はそれぞれ同様な構成で個別の部屋番号、ここでは、「１０１」、「１０２」、・・・が割り当てられており、操作部（以下、インターホン操作部という。）１００と、スピーカ（以下、インターホンスピーカという。）１０１と、送受話器（以下、インターホン送受話器という。）１０２と、表示部（以下、インターホン表示部という。）１０３とを有している。
【００１７】
この居室インターホン１ａ、１ｂ、・・・において、インターホン操作部１００は、居室に在室中の入居者が管理室に在室中の管理人を呼び出すために操作するものである。このインターホン操作部１００としては、呼出ボタン、タッチパネル等が好適とされる。
【００１８】
インターホンスピーカ１０１は、居室扉の施錠・解錠状態および／または居室扉の開・閉状態を表す報知音／警報音や音声メッセージ等を放音／鳴動するためのものである。
【００１９】
インターホン送受話器１０２は、入居者が管理人との間で通話を成立させるにあたり、音声（送話音声、受話音声）を入出力するためのものである。なお、インターホン送受話器１０２は、入居者の取り上げの有無に応じて図示しないフックスイッチがフックオフ／フックオンとなる機構を有している。
【００２０】
インターホン表示部１０３は、インターホン操作部１００の操作情報を表示するとともに、居室扉の施錠・解錠状態および／または居室扉の開・閉状態を表す文字メッセージや絵データ等を表示するためのものである。このインターホン表示部１０３としては、ＬＣＤ（Liquid Crystal Display）、有機ＥＬ（Electro Luminescence）ディスプレイ等の各種のモニタが好適とされる。
【００２１】
また、電気錠２ａ、２ｂ、・・・はそれぞれ同様な構成であり、施錠・解錠出力スイッチ２００と、扉開・閉出力スイッチ２０１とを有している。
【００２２】
この電気錠２ａ、２ｂ、・・・において、施錠・解錠出力スイッチ２００は、居室扉の施錠・解錠状態を検出するためのものであり、通常、施錠状態の場合には導通される一方、解錠状態の場合には非導通となるスイッチ機構を有している。
【００２３】
扉開・閉出力スイッチ２０１は、居室扉の開・閉状態を検出するためのものであり、通常、閉状態の場合には導通される一方、開状態の場合には非導通となるスイッチ機構を有している。
【００２４】
また、居室制御装置４ａ、４ｂ、・・・はそれぞれ同様な構成であり、操作部（以下、居室操作部という。）４００と、４つのインターフェース（以下、インターホン側Ｉ／Ｆ、電気錠側Ｉ／Ｆ、認証装置側Ｉ／Ｆ、主制御装置側Ｉ／Ｆという。）４０１、４０２、４０３、４０４と、制御部（以下、居室制御部という。）４０５とを有している。
【００２５】
この居室制御装置４ａ、４ｂ、・・・において、居室操作部４００は、入居者が居室に在室であるか否か、すなわち、在室または不在を設定するとともに、居室を不在にする前や夜間帯等の就寝する前に電気錠２ａ、２ｂ、・・・の防犯設定を行うためのものである。この居室操作部４００としては、在室／不在ボタン、防犯設定ボタン、タッチパネル等が好適とされる。
【００２６】
インターホン側Ｉ／Ｆ４０１は、居室制御部４０５およびインターホンラインＬ1a、Ｌ1b、・・・の間の信号／データ伝送路を形成するための通信回路である。
【００２７】
電気錠側Ｉ／Ｆ４０２は、居室制御部４０５および電気錠ラインＬ2a、Ｌ2b、・・・の間の信号／データ伝送路を形成するための通信回路である。
【００２８】
認証装置側Ｉ／Ｆ４０３は、居室制御部４０５および認証装置ラインＬ3a、Ｌ3b、・・・の間の信号／データ伝送路を形成するための通信回路である。
【００２９】
主制御装置側Ｉ／Ｆ４０４は、居室制御部４０５および居室側ラインＬ4の間の信号／データ伝送路を形成するための通信回路である。
【００３０】
居室制御部４０５は、当該居室制御装置の構成各部／回路をそれぞれ制御するためのものである。
【００３１】
さらに、管理室親機５は、操作部（以下、管理室操作部という。）５００と、スピーカ（以下、管理室スピーカという。）５０１と、送受話器（以下、管理室送受話器という。）５０２と、通話回路５０３と、表示部（以下、管理室表示部という。）５０４と、インターフェース（以下、管理室Ｉ／Ｆという。）５０５と、制御部（以下、管理室制御部という。）５０６とを有している。
【００３２】
この管理室親機５において、管理室操作部５００は、居室毎の入居情報を設定、例えば、居室を不在にしている入居者が外泊中である場合に「外泊」の情報を設定するためのものである。また、管理室操作部５００としては、外泊設定ボタン、タッチパネル等が好適とされる。
【００３３】
管理室スピーカ５０１は、複数の居室に在室中の入居者のうち特定の入居者からの呼び出しを表す呼出音や音声メッセージ等を放音するとともに、居室扉の施錠・解錠状態および／または居室扉の開・閉状態を表す報知音／警報音や音声メッセージ等を放音／鳴動するためのものである。
【００３４】
管理室送受話器５０２は、管理人が入居者との間で通話を成立させるにあたり、音声（送話音声、受話音声）を入出力するためのものである。なお、管理室送受話器５０２は、管理人の取り上げの有無に応じて図示しないフックスイッチがフックオフ／フックオンとなる機構を有している。
【００３５】
通話回路５０３は、管理室送受話器５０２にて入力される音声を信号処理する、例えば、４線／２線変換、２線／４線変換、増幅等を行い、通話路を形成するためのものである。
【００３６】
管理室表示部５０４は、管理室操作部５００の操作情報、複数の居室に在室中の入居者のうち特定の入居者からの呼び出しを表す文字メッセージや絵データ等を表示するとともに、居室扉の施錠・解錠状態および／または居室扉の開・閉状態を表す文字メッセージや絵データ等を表示するためのものである。この管理室表示部５０３としては、ＬＣＤ、有機ＥＬディスプレイ等の各種のモニタが好適とされる。
【００３７】
管理室Ｉ／Ｆ５０５は、管理室制御部５０６および管理室側ラインＬ5の間の信号／データ伝送路を形成するための通信回路である。
【００３８】
管理室制御部５０６は、当該管理室親機の構成各部／回路をそれぞれ制御するためのものである。
【００３９】
このように構成された本発明の実施例による集合住宅インターホンシステムにおいて、以下、具体的な動作について図１、図２（ａ）、（ｂ）および図３をそれぞれ参照して説明する。なお、図２（ａ）、（ｂ）は、管理室親機５の管理室表示部５０４の表示例をそれぞれ示す説明図であり、図３は、管理室親機５の管理室操作部５００の態様例を示す説明図である。
【００４０】
なお、本発明の実施例において、特定の入居者が管理人を呼び出して通話を成立させるための動作は、その他の集合住宅インターホンシステムの先行技術文献等にて開示されている該当動作と同様であり公知の動作であるため、説明は省略するものとする。
【００４１】
図１において、集合住宅の複数の居室のうち、例えば、部屋番号「１０１」が割り当てられた居室の入居者が外泊するにあたって、この入居者は、居室扉の電気錠２ａを防犯設定するため、居室制御装置４ａの居室操作部４００にて所定の操作を行う必要がある。この操作としては、例えば、不在設定を行った後、防犯設定を行う。この操作を検出した居室制御部４０５は、防犯設定状態となり、電気錠側Ｉ／Ｆ４０２、電気錠ラインＬ2aを経由して接続された電気錠２ａの施錠・解錠出力スイッチ２００および／または扉・開閉出力スイッチ２０１の切り替えの監視を開始するとともに、入居者が自居室を不在にしている内容の入居者不在信号を生成する。この入居者不在信号には、部屋番号「１０１」が付加されており、居室制御部４０５から主制御装置側Ｉ／Ｆ４０４、居室側ラインＬ4、他の居室制御装置４ｂ、・・・の主制御装置側Ｉ／Ｆ４０４を経由して居室制御部４０５にそれぞれ伝送されるとともに、居室制御部４０５から主制御装置側Ｉ／Ｆ４０４、居室側ラインＬ4、主制御装置６、管理室側ラインＬ5、管理室親機５の管理室Ｉ／Ｆ５０５を経由して管理室制御部５０６に伝送される。
【００４２】
居室制御装置４ａを除く他の居室制御装置４ｂ、・・・において、居室制御部４０５は、伝送されてきた入居者不在信号が主制御装置６からの出力信号でないため、この入居者不在信号が自居室制御装置にとって無効な信号であると判断する。
【００４３】
また、管理室親機５の管理室制御部５０６は、伝送されてきた入居者不在信号を検出すると、図２（ａ）に示すように、１０１号室の入居者が自居室を不在にしている内容の文字メッセージを管理室表示部５０４に表示させることができる。なお、前述の表示は、文字メッセージのみならず、絵データ等を使用することもできる。
【００４４】
さらに、居室外に出た１０１号室の入居者が管理室に赴いて外泊申請の指示を行うと、これを確認した管理人は管理室親機５の管理室操作部５００にて所定の操作、例えば、図３に示すように、１０１号室の入居者の情報として「在室」、「不在」、「外泊」の３つのボタンのうち「外泊」の該当ボタンを操作する。この操作を検出した管理室制御部５０６は、管理室表示部５０４に表示させる文字メッセージを、図２（ｂ）に示すように、前述の１０１号室の入居者が不在にしている内容から外泊している内容に切り替えることができる。なお、前述の表示は、文字メッセージのみならず、絵データ等を使用することもできる。
【００４５】
なお、前述までの説明において、入居者不在信号を居室制御装置４ａの居室制御部４０５にて生成させるにあたり、その操作手段は居室操作部４００にて行われる所定の操作を適用したが、この操作手段に限定されるものではない。例えば、居室外から１０１号室の居室扉の電気錠２ａを施錠させ、この施錠を検出した居室制御装置４ａの居室制御部４０５にて同様な入居者不在信号を生成することもできる。
【００４６】
次に、図２（ｂ）に示すように、管理室親機５の管理室表示部５０４の表示内容として、入居者が外泊している１０１号室の居室扉の電気錠２ａが解錠される、および／または居室扉が開けられる、例えば、故意にこじ開けられると、電気錠２ａの施錠・解錠出力スイッチ２００および／または扉開・閉出力スイッチ２０１が導通状態から非導通状態に切り替えられ、解錠信号（以下、第１の解錠信号という。）および／または開扉信号（以下、第１の開扉信号という。）が生成される。この第１の解錠信号および／または第１の開扉信号は、電気錠２ａから電気錠ラインＬ2a、居室制御装置４ａの電気錠側Ｉ／Ｆ４０２を経由して居室制御部４０５に伝送される。
【００４７】
居室制御装置４ａにおいて、防犯設定状態の居室制御部４０５は、電気錠２ａからの第１の解錠信号および／または第１の開扉信号を検出すると、この第１の解錠信号および／または第１の開扉信号に部屋番号「１０１」を付加させた後、前述の入居者不在信号と同一の信号／データ伝送路を経由して他の居室制御装置４ｂ、・・・の主制御装置側Ｉ／Ｆ４０４および管理室親機５の管理室制御部５０６にそれぞれ出力するとともに、インターホン側Ｉ／Ｆ４０１、インターホンラインＬ1aを経由して居室インターホン１ａに出力する。
【００４８】
居室制御装置４ａを除く他の居室制御装置４ｂ、・・・において、居室制御部４０５は、伝送されてきた第１の解錠信号および／または第１の開扉信号が主制御装置６からの出力信号でないため、この第１の解錠信号および／または第１の開扉信号が自居室制御装置にとって無効な信号であると判断する。
【００４９】
また、管理室親機５の管理室制御部５０６は、居室制御装置４ａからの第１の解錠信号および／または第１の開扉信号を検出すると、入居者が外泊している１０１号室の居室扉の電気錠２ａが解錠された、および／または居室扉が開けられた、例えば、故意にこじ開けられた防犯異常の発生を判断して、その内容の警報音や音声メッセージ等を管理室スピーカ５０１から鳴動させるとともに、同様な内容の文字メッセージや絵データ等を管理室表示部５０４に表示させて警報の発報を行うことができる。
【００５０】
さらに、居室インターホン１ａは、居室制御装置４ａからの第１の解錠信号および／または第１の開扉信号を検出すると、入居者が外泊している自居室の居室扉の電気錠２ａが解錠された、および／または居室扉が開けられた、例えば、故意にこじ開けられた防犯異常の発生を判断して、その内容の警報音や音声メッセージ等をインターホンスピーカ１０１から鳴動させるとともに、同様な内容の文字メッセージや絵データ等をインターホン表示部１０３に表示させて警報の発報を行うことができる。
【００５１】
なお、入居者が外泊している１０１号室の居室扉を開けるにあたり、電気錠２ａを解錠および／または開扉しようとする人物が１０１号室の入居者、例えば、外泊先から帰宅しようとする入居者であった場合、この入居者は、本人認証装置３ａを使用する。ここでは、本人認証装置３ａにて行われる認証が１０１号室の入居者であると判断されることから、この認証を検出した居室制御装置４ａの居室制御部４０５は、管理室親機５および居室インターホン１ａにてそれぞれ行われる前述の警報の発報を抑止するための制御信号（以下、第１の制御信号という。）を生成する。この第１の制御信号には、部屋番号「１０１」が付加されており、前述の入居者不在信号、第１の解錠信号および／または第１の開扉信号と同一の信号／データ伝送路を経由して他の居室制御装置４ｂ、・・・の居室制御部４０５および管理室親機５の管理室制御部５０６にそれぞれ伝送されるとともに、前述の第１の解錠信号および／または第１の開扉信号と同一の信号／データ伝送路を経由して居室インターホン１ａに伝送される。
【００５２】
居室制御装置４ａを除く他の居室制御装置４ｂ、・・・において、居室制御部４０５は、伝送されてきた第１の制御信号が主制御装置６からの出力信号でないため、この第１の制御信号が自居室制御装置にとって無効な信号であると判断する。
【００５３】
また、管理室親機５の管理室制御部５０６は、居室制御装置４ａからの第１の制御信号を検出すると、同様に検出された第１の解錠信号および／または第１の開扉信号を非警報であると判断する。この管理室制御部５０６は、１０１号室の入居者によって自居室の居室扉の電気錠２ａが正常に解錠された、および／または居室扉が正常に開けられた内容の確認音や音声メッセージ等を管理室スピーカ５０１から放音させるとともに、同様な内容の文字メッセージや絵データ等を管理室表示部５０３に表示させることができる。一方、前述のような管理室スピーカ５０１からの警報音や音声メッセージ等の鳴動、および管理室表示部５０４を使用した警報の表示を抑止させることができる。すなわち、警報の発報が抑止される。
【００５４】
さらに、居室インターホン１ａは、居室制御装置４ａからの第１の制御信号を検出すると、同様に検出された第１の解錠信号および／または第１の開扉信号を非警報であると判断する。この居室インターホン１ａは、１０１号室の入居者によって自居室の居室扉の電気錠２ａが正常に解錠された、および／または居室扉が正常に開けられた内容の確認音や音声メッセージ等をインターホンスピーカ１０１から放音させるとともに、同様な内容の文字メッセージや絵データ等をインターホン表示部１０３に表示させることができる。一方、前述のようなインターホンスピーカ１０１からの警報音や音声メッセージ等の鳴動、およびインターホン表示部１０３を使用した警報の表示を抑止させることができる。すなわち、警報の発報が抑止される。
【００５５】
次に、入居者が外泊している自居室の居室扉の電気錠２ａが解錠された、および／または居室扉が開けられた、例えば、故意にこじ開けられた防犯異常の発生を確認した管理人は、この警報の発報を解除するにあたって、管理室親機５の管理室操作部５００にて所定の解除操作を行う。この操作を検出した管理室制御部５０６は、管理室スピーカ５０１からの警報音や音声メッセージ等の鳴動、および管理室表示部５０４を使用した警報の表示を抑止させることができる。すなわち、警報の発報が（手動で）抑止される。また、管理室制御部５０６は、居室インターホン１ａにて行われている警報の発報を解除するための信号として、部屋番号「１０１」が付加された警報解除信号を生成する。この警報解除信号は、管理室制御部５０６から管理室Ｉ／Ｆ５０５、管理室側ラインＬ5、主制御装置６、居室側ラインＬ4、全ての居室制御装置４ａ、４ｂ、・・・の主制御装置側Ｉ／Ｆ４０４を経由して居室制御部４０５にそれぞれ伝送される。
【００５６】
また、全ての居室制御装置４ａ、４ｂ、・・・において、居室制御部４０５は、それぞれ主制御装置６を経由して管理室親機５から伝送されてきた警報解除信号が自居室制御装置にとって有効であるか否かを判断する。ここでは、居室制御装置４ａの居室制御部４０５のみ有効であると判断される。この居室制御部４０５は、検出された警報解除信号を、前述の第１の解除信号および／または第１の開扉信号と同一の信号／データ伝送路を経由して居室インターホン１ａに出力する。
【００５７】
さらに、居室インターホン１ａは、居室制御装置４ａからの警報解除信号を検出すると、インターホンスピーカ１０１からの警報音や音声メッセージ等の鳴動、およびインターホン表示部１０３を使用した警報の表示を抑止させることができる。すなわち、警報の発報が（手動で）抑止される。
【００５８】
なお、前述までの説明においては、警報の発報を解除する動作を、入居者が外泊している自居室の居室扉の電気錠２ａが解錠された、および／または居室扉が開けられたときに行った場合について説明したが、このタイミングに限定されるものではない。
【００５９】
別途の解除手段を適用するにあたり、例えば、外泊先から帰宅しようとする入居者が管理室に赴いて帰宅による在室申請の指示を行うと、これを確認した管理人は管理室親機５の管理室操作部５００にて所定の操作、例えば、図３に示すように、１０１号室の入居者の情報として「在室」、「不在」、「外泊」の３つのボタンのうち「在室」の該当ボタンを操作する。この操作を検出した管理室制御部５０６は、管理室表示部５０４に表示させる文字メッセージを、前述の１０１号室の入居者が外泊にしている内容から在室している内容に切り替えることができる。なお、前述の表示は、文字メッセージのみならず、絵データ等を使用することもできる。
【００６０】
また、管理室親機５の管理室制御部５０６は、居室インターホン１ａにて行われている防犯設定を解除するための信号として、部屋番号「１０１」が付加された防犯設定解除信号を生成する。この防犯設定解除信号は、前述の警報解除信号と同一の信号／データ伝送路を経由して全ての居室制御装置４ａ、４ｂ、・・・の居室制御部４０５にそれぞれ伝送される。
【００６１】
さらに、全ての居室制御装置４ａ、４ｂ、・・・において、居室制御部４０５は、それぞれ主制御装置６を経由して管理室親機５から伝送されてきた防犯設定解除信号が自居室制御装置にとって有効であるか否かを判断する。ここでは、居室制御装置４ａの居室制御部４０５のみ有効であると判断される。この居室制御部４０５は、自居室制御装置１ａにて行われている防犯設定を解除することにより、外泊先から帰宅しようとする入居者が自居室の居室扉の電気錠２ａを解錠した、および／または居室扉を開けた場合であっても、インターホンスピーカ１０１からの警報音や音声メッセージ等の鳴動、およびインターホン表示部１０３を使用した警報の表示を抑止させることができる。すなわち、警報の発報が抑止される。
【００６２】
次に、図２（ａ）に示すように、管理室親機５の管理室表示部５０４の表示内容として、入居者が不在にしている１０１号室の居室扉の電気錠２ａが解錠される、および／または居室扉が開けられる、例えば、故意にこじ開けられると、電気錠２ａの施錠・解錠出力スイッチ２００および／または扉開・閉出力スイッチ２０１が導通状態から非導通状態に切り替えられ、解錠信号（以下、第２の解錠信号という。）および／または開扉信号（以下、第２の開扉信号という。）が生成される。この第２の解錠信号および／または第２の開扉信号は、前述の第１の解錠信号および／または第１の開扉信号と同一の信号／データ伝送路を経由して居室制御装置４ａの居室制御部４０５に伝送される。
【００６３】
居室制御装置４ａにおいて、防犯設定状態の居室制御部４０５は、電気錠２ａからの第２の解錠信号および／または第２の開扉信号を検出すると、この第２の解錠信号および／または第２の扉開信号に部屋番号「１０１」を付加させた後、前述の入居者不在信号、第１の解錠信号および／または第１の開扉信号、第１の制御信号と同一の信号／データ伝送路を経由して他の居室制御装置４ｂ、・・・の居室制御部４０５および管理室親機５の管理室制御部５０６にそれぞれ出力する。また、居室制御部４０５は、電気錠２ａからの第２の解錠信号および／または第２の開扉信号を、前述の第１の解錠信号および／または第１の開扉信号と同一の信号／データ伝送路を経由して居室インターホン１ａに出力する。
【００６４】
居室制御装置４ａを除く他の居室制御装置４ｂ、・・・において、居室制御部４０５は、伝送されてきた第２の解錠信号および／または第２の開扉信号が主制御装置６からの出力信号でないため、この第２の解錠信号および／または第２の開扉信号が自居室制御装置にとって無効な信号であると判断する。
【００６５】
また、管理室親機５の管理室制御部５０６は、居室制御装置４ａからの第２の解錠信号および／または第２の開扉信号を検出すると、入居者が不在にしている１０１号室の居室扉の電気錠２ａが解錠された、および／または居室扉が開けられた、例えば、故意にこじ開けられた防犯異常の発生を判断して、その内容の警報音や音声メッセージ等を管理室スピーカ５０１から鳴動させるとともに、同様な内容の文字メッセージや絵データ等を管理室表示部５０４に表示させて警報の発報を行うことができる。
【００６６】
さらに、居室インターホン１ａは、居室制御装置４ａからの第２の解錠信号および／または第２の開扉信号を検出すると、入居者が不在である自居室の居室扉の電気錠２ａが解錠された、および／または居室扉が開けられた、例えば、故意にこじ開けられた防犯異常の発生を判断して、その内容の警報音や音声メッセージ等をインターホンスピーカ１０１から鳴動させるとともに、同様な内容の文字メッセージや絵データ等をインターホン表示部１０３に表示させて警報の発報を行うことができる。
【００６７】
なお、入居者が不在にしている１０１号室の居室扉を開けるにあたり、電気錠２ａを解錠および／または開扉しようとする人物が１０１号室の入居者、例えば、外出先から帰宅しようとする入居者であった場合、この入居者は、本人認証装置３ａを使用する。ここでは、本人認証装置３ａにて行われる認証が１０１号室の入居者であると判断されることから、この認証を検出した居室制御装置４ａの居室制御部４０５は、入居者が外泊にしていた場合の該当動作と同様、管理室親機５および居室インターホン１ａにてそれぞれ行われる前述の警報の発報を抑止させることができる。
【００６８】
また、入居者が不在にしている１０１号室の居室扉の電気錠２ａが解錠された、および／または居室扉が開けられた、例えば、故意にこじ開けられた防犯異常の発生を確認した管理人は、入居者が外泊にしていた場合の該当動作と同様、管理室親機５および居室インターホン１ａにてそれぞれ行われる前述の警報の発報を（手動で）抑止させることができる。
【００６９】
次に、集合住宅の複数の居室のうち、例えば、部屋番号「１０２」が割り当てられた居室の入居者が自居室に在室しており、この入居者が居室扉の電気錠２ｂを防犯設定するためには、居室制御装置４ｂの居室操作部４００にて所定の操作を行う必要がある。この操作としては、例えば、在室設定を行った後、防犯設定を行う。この操作を検出した居室制御部４０５は、防犯設定状態となり、電気錠側Ｉ／Ｆ４０２、電気錠ラインＬ2bを経由して接続された電気錠２ｂの施錠・解錠出力スイッチ２００および／または扉・開閉出力スイッチ２０１の切り替えの監視を開始するとともに、入居者が自居室に在室している内容の入居者在室信号を生成する。この入居者在室信号には、部屋番号「１０２」が付加されており、居室制御部４０５から主制御装置側Ｉ／Ｆ４０４、居室側ラインＬ4、他の居室制御装置４ａ、・・・の主制御装置側Ｉ／Ｆ４０４を経由して居室制御部４０５にそれぞれ伝送されるとともに、居室制御部４０５から主制御装置側Ｉ／Ｆ４０４、居室側ラインＬ4、主制御装置６、管理室側ラインＬ5、管理室親機５の管理室Ｉ／Ｆ５０５を経由して管理室制御部５０６に伝送される。
【００７０】
居室制御装置４ｂを除く他の居室制御装置４ａ、・・・において、居室制御部４０５は、伝送されてきた入居者在室信号が主制御装置６からの出力信号でないため、この入居者在室信号が自居室制御装置にとって無効な信号であると判断する。
【００７１】
また、管理室親機５の管理室制御部５０６は、伝送されてきた入居者在室信号を検出すると、図２（ａ）、（ｂ）にそれぞれ示すように、１０２号室の入居者が自居室に在室している内容の文字メッセージを管理室表示部５０４に表示させることができる。なお、前述の表示は、文字メッセージのみならず、絵データ等を使用することもできる。
【００７２】
次に、図２（ａ）、（ｂ）にそれぞれ示すように、管理室親機５の管理室表示部５０４の表示内容として、入居者が在室している１０２号室の居室扉の電気錠２ｂが解錠される、および／または居室扉が開けられる、例えば、故意にこじ開けられると、電気錠２ｂの施錠・解錠出力スイッチ２００および／または扉開・閉出力スイッチ２０１が導通状態から非導通状態に切り替えられ、解錠信号（以下、第３の解錠信号という。）および／または開扉信号（以下、第３の開扉信号という。）が生成される。この第３の解錠信号および／または第３の開扉信号は、電気錠２ｂから電気錠ラインＬ2b、居室制御装置４ｂの電気錠側Ｉ／Ｆ４０２を経由して居室制御部４０５に伝送される。
【００７３】
居室制御装置４ｂにおいて、防犯設定状態の居室制御部４０５は、電気錠２ｂからの第３の解錠信号および／または第３の開扉信号を検出すると、この第３の解錠信号および／または第３の開扉信号に部屋番号「１０２」を付加させた後、前述の入居者在室信号と同一の信号／データ伝送路を経由して他の居室制御装置４ａ、・・・の居室制御部４０５および管理室親機５の管理室制御部５０６にそれぞれ出力するとともに、インターホン側Ｉ／Ｆ４０１、インターホンラインＬ1bを経由して居室インターホン１ｂに出力する。
【００７４】
居室制御装置４ｂを除く他の居室制御装置４ａ、・・・において、居室制御部４０５は、伝送されてきた第３の解錠信号および／または第３の開扉信号が主制御装置６からの出力信号でないため、この第３の解錠信号および／または第３の開扉信号が自居室制御装置にとって無効な信号であると判断する。
【００７５】
また、管理室親機５の管理室制御部５０６は、居室制御装置４ｂからの第３の解錠信号および／または第３の開扉信号を検出すると、入居者が在室している１０２号室の居室扉の電気錠２ｂが解錠された、および／または居室扉が開けられた、例えば、故意にこじ開けられた防犯異常の発生を判断して、その内容の警報音や音声メッセージ等を管理室スピーカ５０１から鳴動させるとともに、同様な内容の文字メッセージや絵データ等を管理室表示部５０４に表示させて警報の発報を行うことができる。
【００７６】
さらに、居室インターホン１ｂは、居室制御装置４ｂからの第３の解錠信号および／または第３の開扉信号を検出すると、入居者が在室している自居室の居室扉の電気錠２ｂが解錠された、および／または居室扉が開けられた、例えば、故意にこじ開けられた防犯異常の発生を判断して、その内容の警報音や音声メッセージ等をインターホンスピーカ１０１から鳴動させるとともに、同様な内容の文字メッセージや絵データ等をインターホン表示部１０３に表示させて警報の発報を行うことができる。
【００７７】
なお、入居者が在室している１０２号室の居室扉を開けるにあたり、電気錠２ｂを解錠および／または開扉しようとする人物が１０２号室の入居者、例えば、外泊先または外出先から帰宅しようとする在室中以外の入居者であった場合、この入居者は、本人認証装置３ｂを使用する。ここでは、本人認証装置３ｂにて行われる認証が１０２号室の入居者であると判断されることから、この認証を検出した居室制御装置４ｂの居室制御部４０５は、管理室親機５および居室インターホン１ｂにてそれぞれ行われる前述の警報の発報を抑止するための制御信号（以下、第２の制御信号という。）を生成する。この第２の制御信号には、部屋番号「１０２」が付加された後、前述の入居者在室信号、第３の解錠信号および／または第３の開扉信号と同一の信号／データ伝送路を経由して他の居室制御装置４ａ、・・・の居室制御部４０５および管理室親機５の管理室制御部５０６にそれぞれ伝送されるとともに、前述の第３の解錠信号および／または第３の開扉信号と同一の信号／データ伝送路を経由して居室インターホン１ｂに伝送される。
【００７８】
居室制御装置４ｂを除く他の居室制御装置４ａ、・・・において、居室制御部４０５は、伝送されてきた第２の制御信号が主制御装置６からの出力信号でないため、この第２の制御信号が自居室制御装置にとって無効な信号であると判断する。
【００７９】
また、管理室親機５の管理室制御部５０６は、居室制御装置４ｂからの第２の制御信号を検出すると、同様に検出された第３の解錠信号および／または第３の開扉信号を非警報であると判断する。この管理室制御部５０６は、１０２号室の入居者によって自居室の居室扉の電気錠２ｂが正常に解錠された、および／または居室扉が正常に開けられた内容の確認音や音声メッセージ等を管理室スピーカ５０１から放音させるとともに、同様な内容の文字メッセージや絵データ等を管理室表示部５０３に表示させることができる。一方、前述のような管理室スピーカ５０１からの警報音や音声メッセージ等の鳴動、および管理室表示部５０４を使用した警報の表示を抑止させることができる。すなわち、警報の発報が抑止される。
【００８０】
さらに、居室インターホン１ｂは、居室制御装置４ｂからの第２の制御信号を検出すると、同様に検出された第３の解錠信号および／または第３の開扉信号を非警報であると判断する。この居室インターホン１ｂは、１０２号室の入居者によって自居室の居室扉の電気錠２ｂが正常に解錠された、および／または居室扉が正常に開けられた内容の確認音や音声メッセージ等をインターホンスピーカ１０１から放音させるとともに、同様な内容の文字メッセージや絵データ等をインターホン表示部１０３に表示させることができる。一方、前述のようなインターホンスピーカ１０１からの警報音や音声メッセージ等の鳴動、およびインターホン表示部１０３を使用した警報の表示を抑止させることができる。すなわち、警報の発報が抑止される。
【００８１】
なお、入居者が在室している１０２号室の居室扉の電気錠２ｂが解錠された、および／または居室扉が開けられた、例えば、故意にこじ開けられた防犯異常の発生を確認した管理人は、１０１号室の入居者が外泊および／または不在にしていた場合の該当動作と同様、管理室親機５および居室インターホン１ｂにてそれぞれ行われる前述の警報の発報を（手動で）抑止させることができる。
【００８２】
本発明の実施例によれば、入居者が居室に在室であるか否か、すなわち、在室／不在を設定するとともに、居室を不在にする前や夜間帯等の就寝する前に電気錠２ａ、２ｂ、・・・の防犯設定を行うための機能を居室制御装置４ａ、４ｂ、・・・に備えた場合、すなわち、その設定操作として居室操作部４００を適用したが、この態様に限定されるものではない。例えば、居室インターホン１ａ、１ｂ、・・・のインターホン操作部１００または管理室親機５の管理室操作部５００を使用して同様な防犯設定を行うこともできる。
【００８３】
また、本発明の実施例によれば、居室制御装置４ａ、４ｂ、・・・、管理室親機５および主制御装置６の間の接続の態様として、居室側ラインＬ4を経由して居室制御装置４ａ、４ｂ、・・・および主制御装置６の間を接続（バス接続）する一方、管理室側ラインＬ5を経由して管理室親機５および主制御装置６の間を接続したように、独立した２本のラインを使用したが、この接続の態様に限定されるものではない。例えば、図４のシステムブロック図に示すように、本発明の他の実施例として、単一のラインＬ6を経由して居室制御装置４ａ、４ｂ、・・・、管理室親機５および主制御装置６の当該機器の間を相互に接続（バス接続）することもでき、この態様によれば、配線の省線化が図れる。
【００８４】
本発明の集合住宅インターホンシステムにおいては、特定の実施の形態をもって説明してきたが、この形態に限定されるものでなく、本発明の効果を奏する限り、これまで知られた如何なる構成、例えば、戸建用のインターホンシステム等であっても採用できるということはいうまでもないことである。
【図面の簡単な説明】
【００８５】
【図１】図１は、本発明の実施例による集合住宅インターホンシステムの構成を示すシステムブロック図である。
【図２】図２（ａ）、（ｂ）は、本発明の実施例による集合住宅インターホンシステムにおいて、管理室親機の表示部の表示例をそれぞれ示す説明図である。
【図３】図３は、本発明の実施例による集合住宅インターホンシステムにおいて、管理室親機の操作部の態様例を示す説明図である。
【図４】図４は、本発明の他の実施例による集合住宅インターホンシステムの構成を示すシステムブロック図である。
【符号の説明】
【００８６】
１ａ、１ｂ、・・・ ……居室インターホン
２ａ、２ｂ、・・・ ……電気錠
２００……施錠・解錠出力スイッチ
２０１……扉開・閉出力スイッチ
３ａ、３ｂ、・・・ ……本人認証装置
４ａ、４ｂ、・・・ ……居室制御装置
５……管理室親機
５００……管理室操作部（操作部）
５０１……管理室スピーカ（スピーカ）
５０４……管理室表示部（表示部）
【図１】
2007150885.tif 000003
【図２】
2007150885.tif 000004
【図３】
2007150885.tif 000005
【図４】
2007150885.tif 000006